(57)【要約】      （修正有）【課題】蒸気を使用した使い勝手の良い有機性廃棄物の処理装置を提供する。【解決手段】有機性廃棄物の搬入口１１と処理された有機性廃棄物の排出口４とが設けられ、密閉して回転される球形の蒸気釜１と、前記蒸気釜の内部を貫通し、これを支持するとともに、前記蒸気釜とは異なる速度で回転される貫通軸１５と、前記貫通軸に取り付けられる複数のパドル１６と、前記貫通軸の一端に設けられ、温度が１５０〜２１０℃、圧力が１５〜２１気圧の蒸気が供給される蒸気注入口８と、が備えられ、前記蒸気釜に有機性廃棄物を投入して密閉し、前記蒸気注入口から蒸気を供給した状態で、所定の時間、前記蒸気釜および前記パドルを回転させて攪拌する。【選択図】図１
0003140298.tif 000002
【実用新案登録請求の範囲】
【請求項１】
有機性廃棄物の搬入口と処理された有機性廃棄物の排出口とが設けられ、密閉して回転される球形の蒸気釜と、
前記蒸気釜の内部を貫通し、これを支持するとともに、前記蒸気釜とは異なる速度で回転される貫通軸と、
前記貫通軸に取り付けられる複数のパドルと、
前記貫通軸の一端に設けられ、温度が１５０〜２１０℃、圧力が１５〜２１気圧の蒸気が供給される蒸気注入口と、が備えられ、
前記蒸気釜に有機性廃棄物を投入して密閉し、前記蒸気注入口から蒸気を供給した状態で、所定の時間、前記蒸気釜および前記パドルを回転させて攪拌することを特徴とする有機性廃棄物の処理装置。
【請求項２】
前記搬入口と有機性廃棄物の収集容器との間に搬送パイプが設けられ、真空ポンプで有機性廃棄物が吸引され、前記蒸気釜に投入されることを特徴とする請求項１に記載の有機性廃棄物の処理装置。
【考案の詳細な説明】
【技術分野】
【０００１】
本考案は、生ごみや間伐材等の有機性廃棄物処理装置に係り、より詳しくは、蒸気を使用した使い勝手のよい有機性廃棄物処理装置に関する。
【背景技術】
【０００２】
生ごみを処理するには、埋め立て、焼却の方法があり、一部は微生物を働かせて肥料にすることが行なわれている。また、間伐材もチップにして、焼却等により処理されている。
【０００３】
生ごみを埋め立てるには、広い場所が必要で悪臭が漂い蝿やねずみが繁殖する恐れがある。生ごみを焼却するには、水分が多量に含まれているので多くの重油が必要となる。また、間伐材の焼却においては、炭酸ガスが発生し、地球温暖化の原因となる。
【０００４】
生ごみを微生物で分解し肥料とする方法は一部で行なわれているが、まだ実験段階であり、大量に発生する生ごみを効率よく処理するまでには至っていない。そこで蒸気によって生ゴミを処理する装置が注目されている。特許文献１には、２３０℃３ＭＰａの高温高圧の蒸気を使用し、有機性廃棄物を熱分解する処理装置が示されている。しかしながら、小型で広い場所を占有せず、多量の重油も使わない、使い勝手のよい（特に攪拌性能）装置ではなかった。
【特許文献１】特公２００７−７６２２号公報
【考案の開示】
【考案が解決しようとする課題】
【０００５】
本考案の目的は、蒸気を使用した使い勝手の良い有機性廃棄物の処理装置を提供することにある。
【課題を解決するための手段】
【０００６】
上記の目的を達成するため、本考案による有機性廃棄物の処理装置は、有機性廃棄物の搬入口と処理された有機性廃棄物の排出口とが設けられ、密閉して回転される球形の蒸気釜と、前記蒸気釜の内部を貫通し、これを支持するとともに、前記蒸気釜とは異なる速度で回転される貫通軸と、前記貫通軸に取り付けられる複数のパドルと、前記貫通軸の一端に設けられ、温度が１５０〜２１０℃、圧力が１５〜２１気圧の蒸気が供給される蒸気注入口と、が備えられ、前記蒸気釜に有機性廃棄物を投入して密閉し、前記蒸気注入口から蒸気を供給した状態で、所定の時間、前記蒸気釜および前記パドルを回転させて攪拌することを特徴とする。
【０００７】
前記搬入口と有機性廃棄物の収集容器との間に搬送パイプが設けられ、真空ポンプで有機性廃棄物が吸引され、前記蒸気釜に投入されることを特徴とする。
【考案の効果】
【０００８】
本発明の請求項１によれば、（ａ）蒸気釜を回転させるようにしたので、攪拌性能を格段に向上できる。また、蒸気釜内部の複数のパドルは、回転しながら底に溜まった有機性廃棄物をシャベルのようにすくい上げるので、棒状の攪拌具に比較して攪拌性に優れる。さらに、蒸気釜を回転させる速度とバドルを回転させる速度を異ならせたので、攪拌が効果的に促進できる。（ｂ）蒸気釜が密閉された状態で、温度が１５０〜２１０℃、圧力が１５〜２１のボイラーの蒸気をそのまま送り込むので、蒸気が逃げず、エネルギー節約形の装置にできる。この温度では有機性廃棄物が炭化せず、処理した後に得られる粉体は、家畜の餌に混入して利用することができる。また肥料としても利用することもできる。（ｃ）蒸気釜を球形としたので、粉体となった有機性廃棄物が下方の排出口に自重で集まるので、詰まってしまうことがない。また、排出時にパドルを回転させれば、排出口から蒸気釜の内部の粉体を残すことなく排出できる。
【０００９】
請求項２によれば、真空ポンプで有機性廃棄物を吸引して、蒸気釜に投入するようにしたので、ベルトコンベアに比較して周囲に悪臭を拡散させることがなく、また装置を小型にできる。
【考案を実施するための最良の形態】
【００１０】
以下、図面を参照して、本考案による有機性廃棄物の処理装置を説明する。
【実施例】
【００１１】
図１は、本考案による有機性廃棄物の処理装置（実施例１）である。図１のほぼ中央に球形の蒸気釜１が設置されている。この蒸気釜１の上側に生ごみの搬入口１１が、下側に処理された廃棄物を取り出す排出口４が設けられる。蒸気釜１は、左右の軸受け７、１２により支持される。また、この蒸気釜１は回転可能に構成され、軸受け１２の右側に蒸気釜１を回転させるモータ２が設けられる。この蒸気釜１は高温、加圧蒸気により、有機性廃棄物を処理できる。ボイラーからの蒸気を受ける蒸気注入口８が、軸受け７の左側に設けられる。
【００１２】
蒸気釜１の内部には、貫通する貫通軸１５が設けられる。貫通軸１５には複数のパドル１６が取り付けられる。貫通軸１５を回転させるモータ３は、蒸気釜１の右下に設けられる。複数のパドル１６は、貫通軸１５に上下に交互となるように接近して取り付けられる。
【００１３】
図２は、本考案による有機性廃棄物の処理装置（実施例２）である。生ゴミは収集容器１０に集められた後、真空ポンプ１３で引かれて、搬送パイプ１４を通って、蒸気釜１の搬入口１１に運ばれる。他の構成は同じである。
【００１４】
本発明による有機性廃棄物の処理装置の動作について説明する。最初に生ごみや剪定した枝などをまず収集容器１０に移す。生ごみは、収集容器１０に移す前に、脱水や細かくする粉砕する前処理を行なってもよい。実施例１によれば、収集容器１０の生ごみは、モータ５の回転よって駆動されるバスケット付きのベルトコンベア９に載せられて蒸気釜１の搬入口１１まで運ばれる。実施例２によれば、収集容器１０の生ごみは、真空ポンプ１３によって吸引され、搬送パイプ１４を通って蒸気釜１の搬入口１１まで運ばれる。蒸気釜１１の搬入口１１がモータ６の駆動により開かれており、生ごみが蒸気釜１に投入される。生ごみの搬入終了後に、蒸気釜１の搬入口１１は閉じられる。蓋は、着脱可能なクラッチ式のもので、複数のモータ６により、蓋の左右方向へのスライド、上下移動、着脱（ロック）が行われる。蒸気釜１の搬入口１１の蓋、排出口４の蓋のいずれも、この機構がある個所に蓋を位置させて開閉を行なう。
【００１５】
搬入口１１と排出口４が閉じられると、蒸気釜１は密閉した容器となる。ここで、蒸気注入口８から、高温加圧した蒸気を蒸気釜１に送り込む。蒸気圧は１５〜２１気圧、この時の温度は１５０〜２１０℃である。次に、蒸気釜１をモータ２で回転させる。同時に、貫通軸１５をモータ３で回転させる。これにより蒸気釜１内の複数のパドル１６も回転する。攪拌の度合いを高めるため、蒸気釜１の回転速度より、パドル１６の回転速度を早くした。例として、蒸気釜１の回転速度を２ｒｐｍ、パドル１６の回転速度を３．５ｒｐｍとした。また、回転は、正転と逆転も可能とした。
【００１６】
このように動作させると、生ごみは高温、加圧の雰囲気で熱分解されて攪拌される。通常の鍋では玄米を炊いてもなかなか炊けないが、圧力釜では炊くことができる。圧力釜は高温で圧力が高く、熱が玄米の内部まで伝わりやすくなるためである。これと同様な現象が蒸気釜１の内部で起きている。生ごみの中には水分が含まれているから、生ごみは加水分解される。生ごみを構成する物質の中で、１５０℃以下で揮発するものは蒸されてすべて気体となる。１５０℃付近では、ほとんどの植物繊維はもろくなり、蒸気釜１とパドル１６による攪拌力が加わると、粉砕されて細かくなる。４０〜５０分の運転を続けると、生ごみや剪定した枝などは粉状のものとなる。
【００１７】
運転終了後は蒸気釜１を自然に冷やし、排出口４から粉体を取り出す。なお、これを乾燥させれば、肥料や家畜用の飼料にできる。間伐材のチップをこの蒸気釜１で処理した場合、排出口４には、木酢（もくさく）液が溜まる。これは殺虫剤としての利用価値がある。運転終了後、蒸気釜１内の蒸気を別に設けた蒸気回収機に回収し、蒸気に含まれる有効成分を分離するようにしてもよい。
【００１８】
高温、加圧の雰囲気を作るには、エネルギーが大量に必要となるように考えられるが、蒸気釜１は密閉されており、水分が含まれた生ごみを燃焼させるよりはるかに少ないエネルギーで生ごみを処理することができる。また、臭いの問題も、生ごみを搬入するまでで、処理中及び処理後に悪臭が生じることはない。
【産業上の利用可能性】
【００１９】
本考案は、小型で設置面積が小さく有機性廃棄物の処理装置として好適である。
【図面の簡単な説明】
【００２０】
【図１】本考案による有機性廃棄物の処理装置の構成図である。（実施例１）
【図２】本考案による有機性廃棄物の処理装置の構成図である。（実施例２）
【符号の説明】
【００２１】
１    蒸気釜
２    モータ
３    モータ
４    排出口
５    モータ
６    モータ
７    軸受け
８    蒸気注入口
９    ベルトコンベア
１０    収集容器
１１    搬入口
１２    軸受け
１３    真空ポンプ
１４    搬送パイプ
１５    貫通軸
１６    パドル
【図１】
0003140298.tif 000003
【図２】
0003140298.tif 000004